(57)【要約】【課題】異物が進入することによる正極端子及び負極端子のショートを防止できる充電器を提供する。【解決手段】充電器の載置部２０に形成される載置面２１には、正極端子５２、負極端子５４、及び側壁部６０が設けられている。正極端子５２及び負極端子５４は、側壁部６０の内側において載置面２１から上方へ向けて突出しており、左右方向に互いに離間している。側壁部６０は、平面視で略矩形状の第一側壁部５９及び第二側壁部６１によって形成されている。第一側壁部５９は正極端子５２を囲み、第二側壁部６１は負極端子５４を囲んでいる。【選択図】図２
2015163036.tif 000002
【特許請求の範囲】
【請求項１】
平面状の載置面を有する載置部と、
前記載置面から突出し互いに離間して設けられる正極端子及び負極端子と、
前記載置面から立設し、前記正極端子及び前記負極端子のうち一方の端子を囲む第一側壁部と、
前記正極端子及び前記負極端子のうち他方の端子を少なくとも囲む第二側壁部と
を備えたことを特徴とする充電器。
【請求項２】
前記第一側壁部は、前記正極端子と前記負極端子との間を前記載置面に沿って延びる第一隔壁部を備え、
前記第二側壁部は、前記正極端子及び前記負極端子のうち前記他方の端子を囲んでおり、前記正極端子と前記負極端子との間を前記載置面に沿って延びる第二隔壁部を備え、
前記第一隔壁部及び前記第二隔壁部は、同一の壁部であり、前記第一側壁部及び前記第二側壁部のそれぞれの内側を仕切っていることを特徴とする請求項１に記載の充電器。
【請求項３】
前記第一側壁部及び前記第二側壁部のうち、少なくとも一方の側壁部は、基端の一部を、外側と前記内側との間で貫通する開口部を備えたことを特徴とする請求項２に記載の充電器。
【請求項４】
前記開口部は、前記壁部に対して前記正極端子が設けられる側及び前記負極端子が設けられる側にそれぞれ配置されていることを特徴とする請求項３に記載の充電器。
【請求項５】
前記第一側壁部及び前記第二側壁部のうち、前記開口部を有する前記側壁部は、前記開口部から前記載置面に沿って互いに異なる方向に延びる一対の立設壁を備えたことを特徴とする請求項３又は４に記載の充電器。
【請求項６】
前記載置部は、前記載置面のうち、前記開口部を有する前記側壁部の前記外側、且つ前記開口部の近傍を貫通する第一貫通口を備えたことを特徴とする請求項５に記載の充電器。
【請求項７】
前記載置部に対して、前記第一側壁部及び前記第二側壁部が配置される側である上側とは反対の下側に設けられる基板と、
前記正極端子及び前記負極端子のそれぞれに対応して前記載置部に設けられ、前記載置面の延設方向において前記基板とは異なる位置にて、前記載置面を貫通する複数の第二貫通口と、
前記基板及び前記複数の第二貫通口に対して前記下側に配置される平板状の板部と、前記板部を貫通する第三貫通口とを有し、前記基板及び前記複数の第二貫通口を前記下側から覆うカバー部材とを備え、
前記正極端子及び前記負極端子は、前記基板に設けられ、対応する前記複数の第二貫通口のそれぞれから前記上側へ向けて突出し、
前記板部は、前記第三貫通口が最も下側に位置するように傾斜していることを特徴とする請求項１〜６の何れかに記載の充電器。
【請求項８】
前記第一側壁部及び前記第二側壁部は、前記正極端子及び前記負極端子よりも、前記載置面から突出していることを特徴とする請求項１〜７の何れかに記載の充電器。
【発明の詳細な説明】
【技術分野】
【０００１】
本発明は充電器に関する。
【背景技術】
【０００２】
従来、被充電物を充電可能な充電器が知られている。例えば、特許文献１に開示の充電器は、被充電物である携帯電話を充電可能である。充電器は、上ケースと、一対の給電端子とを備える。一対の給電端子の一方は正極端子であり、他方は負極端子である。上ケースは、充電器の筐体の上側部を形成し、携帯電話が着脱可能に装着される凹部を備える。一対の給電端子は、凹部の底面から上方へ向けて突出しており、携帯電話に設けられる一対の受電端子に接触可能である。
【先行技術文献】
【特許文献】
【０００３】
【特許文献１】特開平１０−１７４３０１号公報
【発明の概要】
【発明が解決しようとする課題】
【０００４】
しかしながら、上記充電器では、液体又は埃等の異物が凹部に進入した場合、一対の給電端子がショートする可能性があった。
【０００５】
本発明の目的は、異物が進入することによる正極端子及び負極端子のショートを防止できる充電器を提供することである。
【課題を解決するための手段】
【０００６】
本発明の一態様に係る充電器は、平面状の載置面を有する載置部と、前記載置面から突出し互いに離間して設けられる正極端子及び負極端子と、前記載置面から立設し、前記正極端子及び前記負極端子のうち一方の端子を囲む第一側壁部と、前記正極端子及び前記負極端子のうち他方の端子を少なくとも囲む第二側壁部とを備えたことを特徴とする。
【０００７】
上記態様によれば、充電器は、載置面に載置される被充電物に対して、正極端子及び負極端子を介して充電する。液体又は埃等の異物が、第一側壁部及び第二側壁部の少なくとも一方の内側に進入する場合であっても、第一側壁部及び第二側壁部は、進入した異物が正極端子及び負極端子を互いに導通させることを制限する。よって、充電器は、異物が進入することによる給電部のショートを防止できる。
【図面の簡単な説明】
【０００８】
【図１】充電器１０を右斜め上方からみた斜視図である。
【図２】載置部２０の拡大斜視図である。
【図３】充電器１０を左斜め下方からみた斜視図である。
【図４】カバー部材８０が外された充電器１０を左斜め下方からみた斜視図である。
【図５】水９４が側壁部６０の内側に進入した載置部２０の拡大斜視図である。
【図６】図３のＩ−Ｉ線における矢視方向からみたカバー部材８０の断面図である。
【図７】図５のＩＩ−ＩＩ線における矢視方向からみた側壁部６０に導電性部材１００が載置された状態を示す断面図である。
【図８】第一変形例に係る側壁部１６０の平面図である。
【図９】第二変形例に係る側壁部２６０の平面図である。
【発明を実施するための形態】
【０００９】
本発明の実施の形態について、図面を参照し説明する。図１〜図４を参照し、充電器１０の概略構成について説明する。充電器１０は、携帯型の印刷装置(図示外)が内蔵するバッテリー（図示外）を充電可能である。なお、図１の上方、下方、右下方、左上方、左下方、及び右上方が、それぞれ、充電器１０の上方、下方、右方、左方、前方、及び後方である。また、図２は、図１に示す仮想線で囲まれた領域を拡大した図である（図５も同様）。
【００１０】
図１に示すように、充電器１０は、前後方向に長く、且つ下側が開口する略箱状に形成されている。充電器１０は、載置部２０、側壁部６０、給電部５０、及びカバー部材８０(図３参照)を備える。
【００１１】
載置部２０は、充電器１０の前後方向略中央における上部を形成しており、平面視で前後方向に長い略矩形状の板部である。載置部２０の上面には、左右方向及び前後方向に延びる平面状の載置面２１が形成されている。載置面２１には、印刷装置(図示外)の、一対の受電端子(図示外)が露出する側面部(以下、装置側の側面部という)が載置される。図２に示すように、載置部２０には、載置面２１を上下方向に貫通する貫通口２２，２４が設けられている。貫通口２２，２４は、左右方向に並んで設けられている。
【００１２】
側壁部６０は、載置面２１の中央部から上方へ向けて立設する、平面視で略８の字状の壁部である。側壁部６０は、載置部２０に対して上側に設けられる。側壁部６０は、一対の受電端子（図示外）を囲むようにして装置側の側面部に形成される凹部（以下、装置側の凹部という）に進入可能な壁部である。
【００１３】
側壁部６０は、第一側壁部５９及び第二側壁部６１によって形成されている。第一側壁部５９は側壁部６０の左側部を形成しており、第二側壁部６１は右側部を形成している。第一側壁部５９及び第二側壁部６１は、それぞれ、平面視で略矩形状である。第一側壁部５９の右側部及び第二側壁部６１の左側部は、載置面２１に沿って前後方向に延びる隔壁部３０によって形成されている。隔壁部３０は、第一側壁部５９及び第二側壁部６１のそれぞれの内側を仕切っている。隔壁部３０の前端部及び後端部（延設方向における両端部）は、それぞれ、側壁部６０の前側部及び後側部と接続している。隔壁部３０は、第一側壁部５９の内側と第二側壁部６１の内側との間を、前後方向に亘って仕切っていることが好ましい。
【００１４】
第一側壁部５９は、前壁部６２、左壁部６４、及び開口部７１を備える。前壁部６２は、第一側壁部５９の前側部を形成する左右方向に延びる壁部である。左壁部６４は、第一側壁部５９の左側部を形成する前後方向に延びる壁部である。前壁部６２及び左壁部６４は、それぞれ、第一側壁部５９の内側と対向する側面６２Ａ，６４Ａを有する。開口部７１は、第一側壁部５９の左前部を、第一側壁部５９の内側と外側との間で貫通する開口部である。つまり、開口部７１は、第一側壁部５９の基端の一部を開口している。第一側壁部５９の内側に進入した液体又は埃等の異物（以下、異物という）は、開口部７１を通過して、第一側壁部５９の外側へ移動できる。開口部７１は、前壁部６２の左側部且つ左壁部６４の前側部に位置する。つまり、前壁部６２及び左壁部６４は、それぞれ、載置面２１に沿って互いに異なる方向に延びる一対の立設壁である。
【００１５】
第二側壁部６１は、隔壁部３０に対して第一側壁部５９と対称な形状である。第二側壁部６１の右前部には、開口部７２が設けられている。第二側壁部６１の開口部７２は、第一側壁部５９の開口部７１に対応する。
【００１６】
開口部７１，７２の外側には、それぞれ、貫通口７５，７６が設けられている。貫通口７５は、載置面２１のうち第一側壁部５９の外側、且つ開口部７１の近傍を貫通している。貫通口７６は、載置面２１のうち第二側壁部６１の外側、且つ開口部７２の近傍を貫通している。貫通口７５，７６は、それぞれ、開口部７１，７２を通過して第一側壁部５９及び第二側壁部６１の外側へ移動する異物を回収可能である。貫通口７５，７６は、それぞれ、載置部２０の下面２８(図３参照)から下方へ向けて延びる筒体２５，２６(図３参照)の筒孔と連通している。
【００１７】
給電部５０は、側壁部６０の内側に設けられており、印刷装置に対して給電可能である。給電部５０は、左右方向に互いに離間する正極端子５２及び負極端子５４を備える。正極端子５２及び負極端子５４は、それぞれ、載置部２０の下側に設けられた後述の基板５６（図４参照）に取付けられており、載置面２１の貫通口２２，２４から上側へ向けて突出している。正極端子５２及び負極端子５４は、それぞれ、印刷装置の一対の受電端子と接触可能である。
【００１８】
なお、第一側壁部５９は、正極端子５２及び負極端子５４のうち一方の端子である正極端子５２を囲んでおり、第二側壁部６１は、正極端子５２及び負極端子５４のうち他方の端子である負極端子５４を囲んでいる。給電部５０は側壁部６０の内側に配置されており、隔壁部３０は正極端子５２及び負極端子５４の間で前後方向に延びる。また、第一側壁部５９及び第二側壁部６１（つまり側壁部６０）は、正極端子５２及び負極端子５４よりも載置面２１から上側へ向けて突出している。ここで、「正極端子５２を囲む」とは、正極端子５２を、少なくとも右側（負極端子５４側）から囲むことをいい、正極端子５２の全周囲を囲む場合、及び部分的又は間欠的に囲む場合等が含まれる。「負極端子５４を囲む」は、「正極端子５２を囲む」と同様の意味である。
【００１９】
図３に示すように、カバー部材８０は、上側が開口する略箱状であり、載置部２０(図１参照)の下側部に設けられている。カバー部材８０は、貫通口２２，２４と、載置部２０の下部に設けられた基板５６（図４参照）とを下側から覆っている。
【００２０】
図４に示すように、基板５６は左右方向及び前後方向に延び、上面には正極端子５２及び負極端子５４が設けられている。基板５６は、印刷装置（図示外）のバッテリー（図示外）に給電する基板である。基板５６は、カバー部材８０によって下側から覆われているので、充電器１０（図１参照）の下側から進入する異物と接触することはない。なお、基板５６は、貫通口２２，２４(図２参照)よりも後側に位置する。つまり、貫通口２２，２４は、載置面２１（図２参照）の延設方向において、基板５６とは異なる位置にて、載置面２１を貫通している。
【００２１】
図３に示すように、カバー部材８０は板部８１を備える。板部８１は、カバー部材８０の下側端部をなし、平板状に形成されている。板部８１は、底面視で略矩形状であり、基板５６（図４参照）及び貫通口２２，２４（図２参照）に対して、上側とは反対の下側に配置されている。
【００２２】
板部８１の前側端部には、板部８１を厚さ方向に貫通する貫通口８２，８４が設けられている。貫通口８２，８４は、貫通口２２，２４よりも前側に位置する。板部８１は、後側から前側へ向かって下側へ傾斜している。つまり、板部８１は、貫通口２２，２４が最も下側に位置するように傾斜している（図６参照）。
【００２３】
図１及び図２を参照し、充電器１０の動作概要について説明する。ユーザは、アダプター（図示外）を介して充電器１０及び電源を互いに接続させる。さらに、ユーザは、側壁部６０が装置側の凹部（図示外）に進入するように、装置側の側面部（図示外）を載置部２０に載置する。正極端子５２及び負極端子５４が、それぞれ一対の受電端子と接触する結果、充電器１０は給電部５０を介して印刷装置のバッテリー（図示外）を充電できる。
【００２４】
図５及び図６を参照し、側壁部６０の内側に異物が進入する場合について説明する。異物の側壁部６０への進入は、例えば、ユーザが誤って側壁部６０の内側に異物を落下させた場合、又は異物が付着している装置側の側面部が載置部２０に載置される場合等に発生する。以下の説明では、異物の一例としての水９４が、給電部５０の前方にある載置面２１に進入する場合、側壁部６０の内側の側面に接触して進入する場合、及び給電部５０に付着する場合について説明する。
【００２５】
図５を参照し、水９４が、給電部５０の前方にある載置面２１に進入する場合について説明する。水９４が例えば負極端子５４の前方にある載置面２１に進入する場合であっても、隔壁部３０は、正極端子５２及び負極端子５４の両方の端子に水９４が接触することを制限する。つまり、第一側壁部５９及び第二側壁部６１は、正極端子５２及び負極端子５４の両方の端子に水９４が接触することを制限する。水９４は、開口部７２を通過して第二側壁部６１の外側へ向けて移動する。その後、開口部７２を通過した水９４は、開口部７２の近傍に配置される貫通口７６に進入することによって回収される。回収された水９４は、筒体２６（図３参照）の内側を通過して充電器１０の外側へ排出される。
【００２６】
図示しないが、水９４が正極端子５２の前方にある載置面２１に進入する場合も同様である。すなわち、水９４は、正極端子５２及び負極端子５４の両方の端子に接触することなく、開口部７１を通過し、貫通口７５によって回収される。
【００２７】
水９４が側壁部６０の内側の側面に接触して進入する場合について説明する。図５に示すように、例えば左壁部６４の側面６４Ａに接触して第一側壁部５９の内側に進入する水９４は、側面６４Ａに沿って開口部７１まで移動し、さらに第一側壁部５９の外側へと移動する。ここで、側面６４Ａと接触する水９４は、左壁部６４が湾曲している場合と比較して、左壁部６４に沿って開口部７１まで移動し易い。図示しないが、水９４が、側面６２Ａに接触して進入する場合も同様である。すなわち、水９４は、側面６２Ａに沿って開口部７１まで移動し、さらに第一側壁部５９の外側へと移動する。また、第二側壁部６１の右壁部の内側面、及び前壁部の内側面に接触して第二側壁部６１に進入する水９４も同様に、開口部７２まで移動し、第二側壁部６１の外側へと移動する。
【００２８】
図５及び図６を参照し、水９４が給電部５０に付着する場合について説明する。水９４が例えば負極端子５４に付着する場合、水９４は、貫通口２４を通過して、板部８１まで落下する。板部８１が傾斜しているので、板部８１まで落下した水９４は、貫通口８４へ移動する。充電器１０は、負極端子５４に付着した水９４を貫通口８４から充電器１０の外側へ排出する。図示しないが、水９４が正極端子５２に付着する場合も同様である。すなわち、正極端子５２に付着した水９４は、貫通口２２を通過して板部８１まで落下した後、貫通口８２（図３参照）から充電器１０の外側へ移動する。
【００２９】
図７を参照し、側壁部６０の上面に金属等からなる導電性部材１００が載置される場合について説明する。充電器１０に印刷装置（図示外）が載置されていない場合、印刷装置とは異なる導電性部材１００が側壁部６０の上面に載置可能となる。この場合であっても、側壁部６０は、正極端子５２及び負極端子５４よりも載置面２１から突出しているので、導電性部材１００が正極端子５２及び負極端子５４に対して接触し互いを導通させることはない。
【００３０】
以上、説明したように、水９４が第一側壁部５９及び第二側壁部６１の少なくとも一方の内側に進入する場合であっても、第一側壁部５９及び第二側壁部６１がそれぞれ正極端子５２及び負極端子５４を囲んでいるので、水９４が正極端子５２及び負極端子５４に接触し互いを導通させることはない。よって、充電器１０は、異物が側壁部６０の内側に進入することによる正極端子５２及び負極端子５４のショートを防止できる。
【００３１】
第一側壁部５９の右側部及び第二側壁部６１の左壁部は、同一の壁部である隔壁部３０によって形成されている。第一側壁部５９の右側部及び第二側壁部６１の左側部が、それぞれ別々の壁部によって形成されている場合に比べて、充電器１０は、側壁部６０の構成を簡易化できる。
【００３２】
充電器１０は、側壁部６０の内側に進入した水９４を、開口部７１，７２から側壁部６０の外側へ移動させる。水９４は正極端子５２及び負極端子５４から離隔する。よって、充電器１０は、正極端子５２及び負極端子５４のショートをより確実に防止できる。
【００３３】
開口部７１，７２は、それぞれ、隔壁部３０に対して正極端子５２が設けられる側である左側、及び負極端子５４が設けられる側である右側に設けられている。従って、水９４が隔壁部３０に対して左側及び右側のいずれの側に進入する場合であっても、充電器１０は進入した水９４を側壁部６０の外側へ移動させることができる。よって、充電器１０は、正極端子５２及び負極端子５４のショートをより確実に防止できる。
【００３４】
水９４が一対の立設壁である前壁部６２及び左壁部６４のうち、何れかの壁部に接触して第一側壁部５９に進入する場合であっても、水９４は接触した壁部に沿って開口部７１まで移動する。充電器１０は、前壁部６２及び左壁部６４のそれぞれに対応して開口部を備えなくとも、これら二つの壁部に接触して進入する水９４を、開口部７１を介して第一側壁部５９の外側へ移動させることができる。第二側壁部６１が備える開口部７２についても同様である。つまり、第二側壁部６１の前壁部及び右壁部のそれぞれに対応して開口部を備える必要がない。充電器１０は、側壁部６０に設けられる開口部の個数を低減できる。よって、充電器１０は、側壁部６０の強度を維持しつつ、正極端子５２及び負極端子５４のショートを防止できる。
【００３５】
充電器１０は、開口部７１，７２を通過して側壁部６０の外側へ移動した水９４を、貫通口７５，７６を介して回収する。従って、側壁部６０の内側に進入した水９４は給電部５０とさらに離隔するので、充電器１０は正極端子５２及び負極端子５４のショートをより確実に防止できる。
【００３６】
貫通口２２，２４が、正極端子５２及び負極端子５４のそれぞれに対応して載置面２１に設けられているので、正極端子５２及び負極端子５４に付着した水９４は、貫通口２２，２４を通過して、板部８１まで落下する。板部８１は、貫通口８２，８４が最も下側となるように傾斜している。従って、板部８１まで落下した水９４は、貫通口８２，８４まで移動し易い。正極端子５２及び負極端子５４に付着した水９４は、充電器１０の外側へ排出されやすい。よって、充電器１０は、正極端子５２及び負極端子５４のショートをより確実に防止できる。
【００３７】
側壁部６０に導電性部材１００が載置される場合であっても、導電性部材１００は、正極端子５２及び負極端子５４と接触し互いを導通させることはない。よって、充電器１０は、正極端子５２及び負極端子５４のショートをより確実に防止できる。
【００３８】
上記実施形態において、左壁部６４及び前壁部６２が本発明の「一対の立設壁」に相当し、隔壁部３０が本発明の「第一隔壁部」、「第二隔壁部」、及び「同一の壁部」に相当し、正極端子５２が本発明の「一方の端子」に相当し、負極端子５２が本発明の「他方の端子」に相当し、貫通口７５，７６が本発明の「第一貫通口」に相当し、貫通口２２，２４が本発明の「第二貫通口」に相当し、貫通口８２，８４が本発明の「第三貫通口」に相当する。
【００３９】
本発明は上記実施形態に限定されるものではなく、種々の変更が可能である。充電器１０は、印刷装置のバッテリーを充電可能であることに限定されず、種々の電子装置のバッテリーを充電可能であってもよい。
【００４０】
第一側壁部５９及び第二側壁部６１は、それぞれ、平面視で略矩形状であることに限定されず、例えば、平面視で円形状又は楕円形状等の湾曲した形状であってもよいし、三角形状又は五画形状等の矩形状以外の多角形状であってもよい。また、第一側壁部５９の右壁部及び第二側壁部６１の左壁部は、それぞれ、別個の壁部によって形成されていてもよい。
【００４１】
載置面２１から突出する正極端子５２及び負極端子５４は、それぞれ複数であってもよい。例えば、載置面２１には、左右方向に並ぶ三つの正極端子５２と、三つの正極端子５２の右側で左右方向に並ぶ三つの負極端子５４とが設けられてもよい。この場合、三つの正極端子５２は第一側壁部５９の内側に配置され、三つの負極端子５４は第二側壁部６１の内側に配置される。このとき、三つの正極端子５２は第一側壁部５９の内側で、さらに互いに仕切られていてもよい。同様に、三つの負極端子５４は第二側壁部６１の内側で、さらに互いに仕切られていてもよい。
【００４２】
左壁部６４の前端部及び前壁部６２の左端部は、互いに離間していることに限定されない。左壁部６４の前端部上側と、前壁部６２の左端部上側とが互いに接続していてもよい。この場合、開口部は第一側壁部の左前部の基端側のみを開口する。
【００４３】
開口部７１は、前壁部６２の左端部及び左壁部６４の前端部の間に設けられることに限定されない。開口部は、前壁部６２及び左壁部６４のそれぞれに対応して設けられてもよい。
【００４４】
また、隔壁部３０は、側壁部６０の内側に配置されているが、これに限られない。例えば、図８に示すように、第一変形例に係る側壁部１６０の隔壁部１３０が、側壁部６０の内側を通過して前後方向に延びていてもよい。
【００４５】
また、第二側壁部６１は、正極端子５２及び負極端子５４のうち、負極端子５４を囲んでいるがこれに限られない。例えば、図９に示すように、第二変形例に係る側壁部２６０の第二側壁部２６１は、正極端子５２及び負極端子５４の両方を囲んでいてもよい。この場合であっても、第一側壁部２５９が、第二側壁部２６１の内側で正極端子５２を囲んでいれば、第一側壁部２５９及び第二側壁部２６１は、側壁部２６０に進入する異物が正極端子５２及び負極端子５４に接触し互いを導通させることを制限できる。さらに、第二側壁部２６１の内側で、第一側壁部が正極端子５２を囲む代わりに負極端子５４を囲んでいてもよい。この場合、負極端子５４が本発明の「一方の端子」に相当し、正極端子５２が本発明の「他方の端子」に相当する。
【符号の説明】
【００４６】
１０          充電器
２０          載置部
２１          載置面
２２，２４    貫通口
３０，１３０  隔壁部
５０          給電部
５２          正極端子
５４          負極端子
５６          基板
５９，２５９  第一側壁部
６１，２６１  第二側壁部
６２          前壁部
６４          左壁部
７１，７２    開口部    
７５，７６    貫通口
８０          カバー部材
８１          板部
８２，８４    貫通口
【図１】
2015163036.tif 000003
【図２】
2015163036.tif 000004
【図３】
2015163036.tif 000005
【図４】
2015163036.tif 000006
【図５】
2015163036.tif 000007
【図６】
2015163036.tif 000008
【図７】
2015163036.tif 000009
【図８】
2015163036.tif 000010
【図９】
2015163036.tif 000011